(57)【特許請求の範囲】
【請求項１】
サーバー、ルーター及びスマートコンセントを備えるシステムに用いられている、スマートコンセントの電流断続を行なう制御方法であって、
前記システムは、前記ルーターが、ローカルエリアネットワークを介して前記スマートコンセントに接続され、有線ネットワークを介して前記サーバーに接続されて構成され、
前記制御方法は、
前記サーバーが、前記ルーターと接続されたスマートコンセントの機器ＩＤと、タイミング時間と、前記タイミング時間に対応したタイミング指令と、前記タイミング指令に対応するタイミングＩＤとを含むタイミング情報を記憶して、前記タイミング情報を前記ルーター及び前記スマートコンセントに送信するステップであって、前記タイミングＩＤはタイミング時間及びタイミング指令ごとに設定された一つの番号であり、前記タイミング指令が前記スマートコンセントを制御して電流断続を行なうステップと、
前記ルーター及び前記スマートコンセントが、それぞれ、前記タイミング情報を記憶するステップと、
前記スマートコンセントが、一つの新タイミング情報を受信するごとに、前記タイミング情報におけるタイミングＩＤを前記サーバーと前記ルーターと前記スマートコンセントが備えるタイミングＩＤデータベースに記憶するステップであって、前記タイミングＩＤデータベースに、まだ実行されていないタイミング指令に対応するタイミングＩＤを記憶するステップと、
前記サーバーと前記ルーターと前記スマートコンセントのいずれか一つの機器が、当該タイミング情報におけるタイミング時間に達したことを検出した場合、前記ローカルエリアネットワークに接続された前記スマートコンセントに前記タイミング指令を送信するステップと、
前記スマートコンセントが、現在時間がタイミング時間に達したことを検出した場合、前記サーバー又は前記ルーターに記憶されたタイミング指令を取得するステップと、
前記スマートコンセントが、前記タイミング指令に対応するタイミングＩＤが前記タイミングＩＤデータベースに記憶されているか否かを検出するステップと、
前記スマートコンセントが、前記タイミングＩＤデータベースに前記タイミングＩＤが記憶されていることを検出した場合、タイミング指令に基づいて電流断続を制御し、且つ前記タイミング指令に対応するタイミングＩＤをタイミングＩＤデータベースから削除するステップと、
前記スマートコンセントが、前記タイミングＩＤデータベースに前記タイミングＩＤが記憶されていないことを検出した場合、前記スマートコンセントが当該タイミング指令を無視するステップと、
を含むことを特徴とする
スマートコンセントの電流断続を行なう制御方法。
【請求項２】
前記ローカルエリアネットワークに接続された前記スマートコンセントに前記タイミング指令を送信する前に、さらに、
前記システムに複数のスマートコンセントを含む場合、前記ルーターは、前記タイミング情報に含む機器ＩＤに基づいて、接続され前記機器ＩＤに対応するスマートコンセントを確定するステップを含むことを特徴とする
請求項１に記載の方法。
【請求項３】
接続されたスマートコンセントが複数である場合、前記ルーターは、各々の接続されたスマートコンセントに前記タイミング指令を送信することを特徴とする
請求項１又は２に記載の方法。
【請求項４】
スマートコンセントに接続された電気機器に当該スマートコンセントから流れる電流のオンオフである電流断続を行う制御方法であって、
前記スマートコンセントがサーバーからタイミング時間と、前記タイミング時間に対応したタイミング指令と、前記タイミング指令に対応するタイミングＩＤとを含むタイミング情報を受信するステップであって、前記タイミングＩＤはタイミング時間及びタイミング指令ごとに設定された一つの番号であり、前記タイミング指令が前記スマートコンセントを制御して電流断続を行なうステップと、
前記スマートコンセントが、一つの新タイミング情報を受信するごとに、前記タイミング情報におけるタイミングＩＤを前記サーバーとルーターと前記スマートコンセントが備えるタイミングＩＤデータベースに記憶するステップであって、前記タイミングＩＤデータベースに、まだ実行されていないタイミング指令に対応するタイミングＩＤを記憶するステップと、
前記スマートコンセントが、現在時間がタイミング時間に達したことを検出した場合、前記サーバー又は前記ルーターに記憶されたタイミング指令を取得するステップと、
前記スマートコンセントが、電流断続を制御するためのタイミング指令を取得する時に、前記タイミング指令に対するタイミングＩＤを取得するステップと、
前記スマートコンセントが、前記タイミング指令に対応するタイミングＩＤが前記タイミングＩＤデータベースに記憶されているか否かを検出するステップと、
前記スマートコンセントが、前記タイミングＩＤデータベースに前記タイミングＩＤが記憶されていることを検出した場合、タイミング指令に基づいて電流断続を制御し、且つ前記タイミング指令に対応するタイミングＩＤをタイミングＩＤデータベースから削除するステップと、
前記スマートコンセントが、前記タイミングＩＤデータベースに前記タイミングＩＤが記憶されていないことを検出した場合、前記スマートコンセントが当該タイミング指令を無視するステップと、
を含むことを特徴とする
スマートコンセントの電流断続を行なう制御方法。
【請求項５】
スマートコンセントに接続された電気機器に当該スマートコンセントから流れる電流のオンオフである電流断続を行う制御装置であって、
前記制御装置は、
前記スマートコンセント又は前記スマートコンセントに接続されたルーターに用いられるものであり、
前記スマートコンセントが前記ルーターに接続されたサーバーからタイミング時間と、前記タイミング時間に対応したタイミング指令と、前記タイミング指令に対応するタイミングＩＤとを含むタイミング情報を受信するモジュールであって、前記タイミングＩＤはタイミング時間及びタイミング指令ごとに設定された一つの番号であり、前記タイミング指令が前記スマートコンセントを制御して電流断続を行なうモジュールと、
前記スマートコンセントが、一つの新タイミング情報を受信するごとに、前記タイミング情報におけるタイミングＩＤを前記サーバーと前記ルーターと前記スマートコンセントが備えるタイミングＩＤデータベースに記憶するモジュールであって、前記タイミングＩＤデータベースに、まだ実行されていないタイミング指令に対応するタイミングＩＤを記憶するモジュールと、
前記スマートコンセントが、現在時間がタイミング時間に達したことを検出した場合、前記サーバー又は前記ルーターに記憶されたタイミング指令を取得するモジュールと、
前記スマートコンセントが、電流断続を制御するためのタイミング指令を取得する時に、前記タイミング指令に対するタイミングＩＤを取得するモジュールと、
前記スマートコンセントが、前記タイミング指令に対応するタイミングＩＤが前記タイミングＩＤデータベースに記憶されているか否かを検出するモジュールと、
前記スマートコンセントが、前記タイミングＩＤデータベースに前記タイミングＩＤが記憶されていることを検出した場合、タイミング指令に基づいて電流断続を制御し、且つ前記タイミング指令に対応するタイミングＩＤをタイミングＩＤデータベースから削除し、また、前記スマートコンセントが、前記タイミングＩＤデータベースに前記タイミングＩＤが記憶されていないことを検出した場合、前記スマートコンセントが当該タイミング指令を無視するモジュールと、
を含むことを特徴とする
スマートコンセントの電流断続を行なう制御装置。
【請求項６】
スマートコンセントに接続された電気機器に当該スマートコンセントから流れる電流のオンオフである電流断続を行う制御機器であって、
前記制御機器は、
前記スマートコンセント又は前記スマートコンセントに接続されたルーターに用いられるものであり、
プロセッサーと、
前記プロセッサーで実行可能な指令を記憶するためのメモリとを備え、
前記プロセッサーは、
前記スマートコンセントが前記ルーターに接続されたサーバーからタイミング時間と、前記タイミング時間に対応したタイミング指令と、前記タイミング指令に対応するタイミングＩＤとを含むタイミング情報を受信し、前記タイミングＩＤはタイミング時間及びタイミング指令ごとに設定された一つの番号であり、前記タイミング指令が前記スマートコンセントを制御して電流断続を行ない、
前記スマートコンセントが、一つの新タイミング情報を受信するごとに、前記タイミング情報におけるタイミングＩＤを前記サーバーと前記ルーターと前記スマートコンセントが備えるタイミングＩＤデータベースに記憶し、前記タイミングＩＤデータベースに、まだ実行されていないタイミング指令に対応するタイミングＩＤを記憶し、
前記スマートコンセントが、現在時間がタイミング時間に達したことを検出した場合、前記サーバー又は前記ルーターに記憶されたタイミング指令を取得し、
前記スマートコンセントが、電流断続を制御するためのタイミング指令を取得する時に、前記タイミング指令に対するタイミングＩＤを取得し、
前記スマートコンセントが、前記タイミング指令に対応するタイミングＩＤが前記タイミングＩＤデータベースに記憶されているか否かを検出し、
前記スマートコンセントが、前記タイミングＩＤデータベースに前記タイミングＩＤが記憶されていることを検出した場合、タイミング指令に基づいて電流断続を制御し、且つ前記タイミング指令に対応するタイミングＩＤをタイミングＩＤデータベースから削除し、また、前記スマートコンセントが、前記タイミングＩＤデータベースに前記タイミングＩＤが記憶されていないことを検出した場合、前記スマートコンセントが当該タイミング指令を無視する、
ように構成されることを特徴とする
制御機器。
【請求項７】
プロセッサーに実行されることにより、請求項１〜４のいずれか１項に記載のスマートコンセントをスイッチ制御する方法を実現する、コンピュータ読取可能な記録媒体に記録されたプログラム。
【請求項８】
請求項７に記載のプログラムが記録されたコンピュータ読取可能な記録媒体。
【発明の詳細な説明】
【技術分野】
【０００１】
本発明は、スマートハウスに関し、特に、スマートコンセント（スマートソケット）、そのスイッチ制御方法、装置、制御機器、プログラム及び記録媒体に関する。
【背景技術】
【０００２】
スマートコンセントとは、通常、Ｗｉ−ＦＩモジュールが内蔵され、スマートフォンのクライアントによって電気断続をリモート制御可能なコンセント（ソケット）を指す。携帯電話のクライアントによりコンセントのタイミング情報を設定することができで、例えば、あるタイミング時間に、対応するタイミング指令を実行（オン又はオフ）することによって、ユーザは、当該スマートコンセントに挿通された電気装置（例えば、湯沸かし器）を簡単に制御することができる。
【発明の概要】
【発明が解決しようとする課題】
【０００３】
本発明は、スマートコンセントのスイッチ制御の信頼性を向上するための、スマートコンセント、そのスイッチ制御方法、装置、制御機器、プログラム及び記録媒体を提供する。
【課題を解決するための手段】
【０００４】
本発明の第１の態様によれば、スマートコンセントのスイッチ制御方法を提供し、前記方法は、スマートコンセントと無線で接続した制御機器により実行され、
スマートコンセントをスイッチ制御するための、タイミング時間及び前記タイミング時間に対応したタイミング指令を含むタイミング情報を受信するステップと、
現在時間が前記タイミング時間に達したことを検出した場合、前記タイミング時間に対応したタイミング指令を前記スマートコンセントに送信し、その中で、前記タイミング指令は、前記スマートコンセントを制御して前記タイミング指令に基づき電流断続をするために用いられるステップと、を含む。
【０００５】
本発明の第２の態様によれば、スマートコンセントのスイッチ制御方法を提供し、前記方法は、スマートコンセントにより実行され、
前記スマートコンセント又は前記スマートコンセントに無線接続した制御機器に記憶され、スイッチ制御するためのタイミング指令を取得するステップと、
前記タイミング指令に基づいて電流断続を制御するステップと、を含む。
【０００６】
本発明の第３の態様によれば、スマートコンセントのスイッチ制御装置を提供し、前記装置はスマートコンセントに設けられ、
前記スマートコンセント又は前記スマートコンセントに無線接続した制御機器に記憶され且つスイッチ制御するタイミング指令を取得するために用いられる指令取得モジュールと、
前記タイミング指令に基づいて電流断続を制御するために用いられるスイッチ制御モジュールと、を備える。
【０００７】
本発明の第４の態様によれば、制御機器を提供し、前記制御機器は、スマートコンセントと無線で接続され、
プロセッサーと、
前記プロセッサーで実行可能な指令を記憶するためのメモリと、を備え、
前記プロセッサーは、スマートコンセントをスイッチ制御するための、タイミング時間及び前記タイミング時間に対応したタイミング指令を含むタイミング情報を受信し、現在時間が前記タイミング時間に達したことを検出した場合、前記タイミング時間に対応するタイミング指令を前記スマートコンセントに送信して、前記スマートコンセントが前記タイミング指令に基づいて電流断続を制御するように構成される。
【０００８】
本発明の第５の態様によれば、スマートコンセントを提供し、前記スマートコンセントは、
プロセッサーと、
プロセッサーで実行可能な指令を記憶するためのメモリと、を備え、
その中で、前記プロセッサーは、前記スマートコンセント又は前記スマートコンセントに無線接続した制御機器に記憶され且つスイッチ制御するためのタイミング指令を取得し、前記タイミング指令に基づいて電流断続を制御するように構成される。
本発明の第６の態様によれば、
プロセッサーに実行されることにより、上記のスマートコンセントをスイッチ制御する方法を実現する、コンピュータ読取可能な記録媒体に記録されたプログラムを提供する。
本発明の第７の態様によれば、
上記プログラムが記録されたコンピュータ読取可能な記録媒体を提供する。
【発明の効果】
【０００９】
本発明に提供された技術案によれば、以下のような技術効果が奏される。
【００１０】
スマートコンセントと無線接続した制御機器からタイミング指令をコンセントに送信し、又はスマートコンセントそれ自体がタイミング指令を取得してスイッチ制御することにより、スマートコンセントのスイッチ制御がサーバーに依存せず、サーバーと接続された有線ネットワークの故障は、コンセントへの指令の送信に影響しなくなり、ネットワーク故障に起因してサーバーのタイミング指令がコンセントに達することができなくなっても、当該コンセントは、無線制御機器（例えば、ルーター）又はコンセントそれ自体からの指令を受信することができ、従って正常にオン／オフ（開閉）して、スマートコンセントのスイッチ制御の信頼性を向上した。
【００１１】
なお、前記一般的な記載及び後述の詳細な記載は、単なる例示的で解釈的な記載であり、本発明を限定しない。
【図面の簡単な説明】
【００１２】
ここの図面は、明細書に組み入れて本明細書の一部分を構成し、本発明に該当する実施例を例示するとともに、明細書とともに本発明の原理を解釈する。
【図１】一例示的な実施例に係るスマートコンセントのスイッチ制御方法を示すアアプリケーションシナリオ(application scenario)である。
【図２】一例示的な実施例に係るスマートコンセントのスイッチ制御方法を示すフローチャートである。
【図３】他の例示的な実施例に係るスマートコンセントのスイッチ制御方法を示すフローチャートである。
【図４】他の例示的な実施例に係るスマートコンセントのスイッチ制御方法を示すフローチャートである。
【図５】一例示的な実施例に係るスマートコンセントのスイッチ制御方法を示すアプリフローチャートである。
【図６】一例示的な実施例に係るスマートコンセントのスイッチ制御装置を示すブロックチャートである。
【図７】他の例示的な実施例に係るスマートコンセントのスイッチ制御方法を示すアプリフローチャートである。
【図８】一例示的な実施例に係るスマートコンセントのスイッチ制御装置を示すストラクチャーチャートである。
【図９】一例示的な実施例に係るスマートコンセントのスイッチ制御装置を示すブロックチャートである。
【図１０】他の例示的な実施例に係るスマートコンセントのスイッチ制御装置を示すブロックチャートである。
【図１１】一例示的な実施例に係る制御機器を示すブロックチャートである。
【発明を実施するための形態】
【００１３】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００１４】
「スマートコンセント」は、操作が簡単で実用的でありつつスマートな一製品であり、通常Ｗｉ−ＦＩモジュールが内蔵され、ユーザは、スマートフォンのクライアントを介してコンセントの電流断続をリモート制御することができる。図１は、選択的なシーン（場面）を例としてスマートコンセントの制御原理を示した。図１に示すように、スマートコンセント１１に電気装置を接続することができ、例えば、炊飯器１２が当該コンセントに挿入され、ユーザは自分のスマートフォン１３のクライアント（例えば、住宅制御用ＡＰＰ）により、スマートコンセント１１の電流断続を制御（即ち、コンセントのスイッチ制御）することで、炊飯器１２を作動状態又は電源オフ状態にさせて、電気装置へのインテリジェント制御を実現することができる。
【００１５】
携帯電話のクライアントによってコンセントを制御するステップは、次の通りである。
【００１６】
ユーザは、スマートフォン１３のクライアントにより、タイミング時間及び前記タイミング時間に対応したタイミング指令を含み且つスマートコンセントをスイッチ制御するためのタイミング情報を設定することができる。ここで、前記タイミング情報は、前記タイミング時間及びタイミング指令の他に、例えば、タイミングＩＤ（Ｉｄｅｎｔｉｆｉｃａｔｉｏｎ：識別）などの他の内容を含んでもよく、特に限定されるものではない。次の表１に、例としてタイミング情報を示した。
【００１７】
【表１】
0006352451.tif 000002
上記表１に示すように、上記タイミング情報は、タイミングＩＤ（即ち、タイミング識別）を含んでもよく、これにより、タイミング時間及び当該タイミング時間に対応するタイミング指令ごとに一つの番号を設定することになり、その中で、タイミング指令における「オン」は、コンセントの電源の通電状態を示し、「オフ」は、コンセントの電源の断電を示し、当該指令によりコンセントの電流断続を制御することができる。なお、上記タイミング情報は、必ず表１に示したリストの形式で記憶されることではなく、その他の形式に記憶されてもよい。また選択的に、タイミング情報はタイミングＩＤを含んでおらず、タイミング時間及びタイミング指令のみを含んでもよい。
【００１８】
携帯電話のクライアントにより上記タイミング情報を設定した後、ネットワークにより前記タイミング情報をサーバー１４（図１における実線矢印の経路を参照）にアップロードし、サーバー１４は、当該タイミング情報を記憶し、且つ、タイミング情報におけるタイミング時間に達した場合、図１における点線矢印の経路によりタイミング時間に対応するタイミング指令を、スマートコンセント１１（ルーター１５を経由）に送信することができる。例えば、サーバー１４がタイミング時間１０：００に達したことを検出した場合、スマートコンセント１１にタイミング指令「オフ」を送信するが、本実施例は、前記指令の具体的な表示形態を限定しなく、例えば、００で「オン」を示し、０１で「オフ」を示してもよい。スマートコンセント１１は、前記指令を受信した後、それに応じて、コンセント内部のプロセッサーは電気回路構造の動作を制御して電源オフを行う。なお、サーバー１１がタイミング指令を送信する時、指令以外のその他の内容を同時に含んでもよく、例えば、タイミングＩＤもタイミング指令と共にスマートコンセント１１に送信されてもよい。
【００１９】
実際の実施において、ルーター１５とサーバー１４との間の有線ネットワークは、ネットワーク状態において送受信に滞りを発生するおそれがあり、例えば、ネットワークが切断された場合、サーバーからのタイミング指令は、タイミング時間の通りにスマートコンセント１１に送信されない可能性があり、コンセントに接続されている電気装置に安全問題を招くおそれがある。これに対し、本発明の実施例のスマートコンセントのスイッチ制御方法は、スマートコンセントのスイッチ制御の信頼性を向上して、ルーター１５とサーバー１４との間の有線ネットワークに故障が生じた場合であっても、スマートコンセント１１は、依然として時間通りに電源オフを行うことができ、安全で信頼性が高くなる。
【００２０】
図２は、例示的にスマートコンセントのスイッチ制御方法を示すフローチャートである。当該方法は、ローカルエリアネットワークによってスマートコンセントと接続している制御機器により実行され、前記制御機器は、例えば、ルーターであってもよい。図２に示すように、前記スマートコンセントのスイッチ制御方法は、ステップ２０１とステップ２０２とを含んでもよい。
【００２１】
ステップ２０１：現在時間がタイミング時間に達したことを検出した場合、記憶されたタイミング情報を取得し、その中で、前記タイミング情報は、バインディングしたスマートコンセントと、前記タイミング時間と、前記タイミング時間に対応するタイミング指令とを含む。
【００２２】
例えば、タイミング時間を検出する前に、本実施例の制御機器は、スマートコンセントをスイッチ制御するためのタイミング情報を受信してもよく、前記タイミング情報は、タイミング時間及び前記タイミング時間に対応するタイミング指令を含み、また、前記タイミング情報は、バインディングしたスマートコンセントを含んでもよく、上記タイミング時間及びタイミング指令は、当該バインディングしたスマートコンセントに対し電流断続を制御するために用いられる。タイミング情報において、タイミング時間及びタイミング指令に対応するスマートコンセントを含む機器ＩＤにより、バインディングしたスマートコンセントを示してもよい。
【００２３】
例えば、当該制御機器がルーターである場合、ルーターにより前記タイミング情報を取得し、前記タイミング情報はサーバーによって送信したものであってもよい。図１に示すように、サーバー１４はスマートフォン１３から送信したタイミング情報を受信した後、図１における点線矢印の経路に従ってタイミング情報をルーター１５に転送し、ルーター１５は当該タイミング情報を記憶する。
【００２４】
制御機器は、現在時間が前記タイミング時間に達したことが検出された場合、当該タイミング時間に対応するタイミング情報を取得する。例えば、当該制御機器がルーターである場合、ルーターは時間検出を行い、時間が前記ステップ２０１に記憶したタイミング情報におけるタイミング時間に達したことが検出された場合、ルーターは、当該達したタイミング時間に対応するバインディングスマートコンセントの機器ＩＤ、及び当該タイミング時間に対応するタイミング指令を含む前記タイミング情報を取得することができる。
【００２５】
ステップ２０２：ローカルエリアネットワークにより前記バインディングしたスマートコンセントに前記タイミング指令を送信し、その中で、前記タイミング指令は、前記スマートコンセントを制御して前記タイミング指令に基づき電流断続を行なうために用いられる。
【００２６】
本実施例において、制御機器は、ローカルエリアネットワークにより、バインディングしたスマートコンセントに、前記タイミング時間に対応するタイミング指令を送信することができ、当該タイミング指令は、前記スマートコンセントが当該タイミング指令に基づいて電流断続を制御するために用いられる。例えば、ルーターは、タイミング時間１０：００に達したことを検出した場合、タイミング情報に含まれた機器ＩＤに基づいて、ローカルエリアネットワークにより、機器ＩＤに対応するスマートコンセント１１に、指令「オフ」を送信する。
【００２７】
前記制御機器は、ローカルエリアネットワークによりタイミング指令をスマートコンセントに送信し、このような指令送信の形態によれば、指令送信の信頼性をよりに高くさせる。制御機器がルーターであることを例とする場合、ルーターとスマートコンセントの間は、例えば、無線などのローカルエリアネットワークにより接続され、ルーターとサーバーとの間の有線ネットワークに故障が生じてサーバーがタイミング指令をスマートコンセントに正常に送信できなくなってしまう場合、ルーターとスマートコンセントとの間のネットワークは、依然として指令を正常に転送することができ、従がって、スマートコンセントのタイミング開閉（オン／オフ）を確保することができで、スマートコンセントのスイッチ制御の信頼性を向上した。
【００２８】
選択的に、同一制御機器に、それぞれ複数のスマートコンセントに対応するタイミング情報が記憶されてもよく、制御機器に複数のスマートコンセントのタイミング情報が記憶された場合、制御機器は、タイミング時間に達した時に、当該タイミング時間に対応するタイミング情報における機器ＩＤに基づいて、当該タイミング情報がバインディングしたスマートコンセントを確定し、且つ当該コンセントにタイミング指令を送信することができる。選択的に、バインディングしたスマートコンセントが複数である場合、制御機器は、各々のバインディングスマートコンセントに、それぞれ前記タイミング指令を送信することができる。
【００２９】
図２に示すルーターにより指令を送信するフローに対応して、図３はスマートコンセントのスイッチ制御方法のフローチャートを例示しており、当該方法は、スマートコンセントによって実行する指令受信のフローであってもよい。図３に示すように、当該スマートコンセントのスイッチ制御方法は、ステップ３０１とステップ３０２とを含む。
【００３０】
ステップ３０１：電流断続を制御するためのタイミング指令を取得し、前記タイミング指令は、ローカルエリアネットワークによりタイミング指令を送信する制御機器に記憶される。
【００３１】
例えば、当該制御機器がルーターである場合、ルーターにタイミング指令が記憶されており、スマートコンセントは、ルーターがタイミング時間に達したことが検出された時に送信した当該タイミング指令を受信する。
【００３２】
ステップ３０２：前記タイミング指令に基づいて電流断続を制御する。
【００３３】
例えば、スマートコンセントは、ルーターから受信した指令に基づいて電流断続を制御し、例えば、指令が「オフ」である場合、スマートコンセントは、内部の電気回路の動作を制御して電流を切断する。
【００３４】
図４は他のスマートコンセントのスイッチ制御方法のフローチャートを例示しており、当該方法は、スマートコンセントにより実行されてもよい。当該フローにおいて、スマートコンセントが取得した指令は、当該コンセント自体に記憶されたものであってもよく、次のステップ４０１とステップ４０２とを含む。
【００３５】
ステップ４０１：電流断続を制御するためのタイミング指令を取得し、前記タイミング指令は、前記スマートコンセントに記憶されている。
【００３６】
例えば、スマートコンセント内に記憶されたタイミング指令は、コンセントのメモリ内に記憶されてもよい。且つ、当該メモリにタイミング情報が記憶されており、上記タイミング指令は、当該タイミング情報に含まれ、例えば、メモリに記憶されたタイミング情報は、上記の表１に示す形態であってもよい。
【００３７】
当該ステップ４０１において、スマートコンセントは、時間検出を行うことができ、現在時間がそのメモリに記憶されたタイミング情報におけるタイミング時間に達したか否かを判断し、タイミング時間に達した場合、スマートコンセントは、タイミング情報中の対応するタイミング指令を取得する。
【００３８】
ステップ４０２：前記タイミング指令に基づいて電流断続を制御する。
【００３９】
本実施例のスマートコンセントのスイッチ制御方法によれば、制御機器、例えばルーターが、ローカルエリアネットワークによりスマートコンセントにタイミング指令を送信し、又は、スマートコンセントそれ自体がタイミング指令に基づいて電流制御を行うことで、指令送信がサーバーに依存せず、ネットワークの故障に起因してサーバーがコンセントに指令を送信することができなくなっても、コンセントは、それ自体又はルーターからタイミング指令を取得することができ、従ってコンセントのスイッチ制御を安全で信頼性が高く行うことができる。
【００４０】
以下、３つの実施例を挙げて、いくつかの選択的なスマートコンセントのスイッチ制御方法のアプリシーン（応用場面）を例示的に説明する。
【００４１】
図５に示すように、一実施例において、例示的に、ルーターによりスマートコンセントにタイミング指令を送信し、スマートコンセントは、ルーターから受信した指令に基づいて電流断続を行う。そのフローは、次の通りである。
【００４２】
ステップ５０１：制御機器はタイミング情報を受信して記憶する。
【００４３】
例えば、ルーターは、サーバーから送信したタイミング情報を受信し、前記タイミング情報はタイミング時間及びタイミング指令を含み（例えば、表１の例）、記憶するにあたって、タイミング時間とタイミング指令との間の対応関係も記憶する。サーバーのタイミング情報は、ユーザのスマートフォンから受信したものであってもよい。
【００４４】
ステップ５０２：制御機器は、現在時間がタイミング時間に達したことが検出された場合、タイミング情報におけるタイミング指令を取得する。
【００４５】
例えば、ルーターは、現在時間をリアルタイム（実時間、即時）に検出することができ、現在時間がタイミング時間、例えば１０：００に達した場合、ルーターは、その記憶したタイミング情報からタイミング時間に対応するタイミング指令、例えば、「オフ」を取得することができる。且つ、ルーターは、タイミング情報中のバインディングしたスマートコンセントの機器ＩＤを取得することができ、当該タイミング情報がどのスマートコンセントとバインディングされたかを検知する。
【００４６】
ステップ５０３：制御機器は、タイミング指令をスマートコンセントに送信する。
【００４７】
例えば、ルーターは、タイミング情報におけるバインディングしたスマートコンセントの機器ＩＤに基づいて、検出されたタイミング指令「オフ」を、当該機器ＩＤに対応するスマートコンセントに送信し、当該タイミング情報が複数のスマートコンセントをバインディングした場合、ルーターは、これに基づいて、各スマートコンセントにそれぞれ当該タイミング指令を送信する。送信の場合、タイミング指令は、スマートコンセントが理解できる指令ＩＤにより送信されてもよく、例えば、「０１」でタイミング指令「オフ」を示す。且つ、本実施例の制御機器は、ローカルエリアネットワークにより、タイミング指令をスマートコンセントに送信し、例えば、無線で指令を送信する。
【００４８】
ステップ５０４：スマートコンセントは、タイミング指令に基づいて電流断続を制御する。
【００４９】
例えば、スマートコンセントが受信した指令が「オフ」である場合、コンセントは、電流を切断するように制御する。
【００５０】
他の一実施例において、例示的に、スマートコンセントは、それ自体がタイミング情報を記憶してもよく、且つ、スマートコンセントそれ自体により時間を検出し、タイミング時間に達した時に当該指令を実行する。図６はスマートコンセントの構成のブロックチャートであり、前記スマートコンセントは、通信モジュール６１、プロセッサー６２及びメモリ６３を含み、さらに、電気回路構造６４を含んでもよく、当該電気回路構造６４は、継電器回路であってもよい。メモリ６３に、プロセッサーが実行可能な論理指令が記憶され、プロセッサー６２は、当該論理指令を実行することにより、次の処理を実行することができる。
【００５１】
例えば、通信モジュール６１は、ｗｉｆｉモジュールであってもよく、サーバーから送信したタイミング情報を受信することができ、前記タイミング情報には、タイミング時間、及び当該タイミング時間に対応するタイミング指令が含まれ、表１に類似した形態である。スマートコンセントのプロセッサー６２は、通信モジュール６１から得られたタイミング情報をメモリ６３に送信して記憶することができる。プロセッサー６２は、タイミング時間に達した時に、メモリ６３からタイミング情報におけるタイミング時間に対応するタイミング指令を取得し、且つ、当該指令に基づいて電気回路構造６４を制御して電流断続を行うことができる。例えば、指令に基づいて、継電器接点の間の閉合を制御して、コンセントの電流導通を達成する。その中で、プロセッサー６２は、タイミング時間に達したことを、プロセッサー自体で時間を検出することで得る。現在時間がメモリに記憶されたタイミング情報におけるタイミング時間に達したことを検出した場合、メモリからタイミング時間に対応するタイミング指令を取得し、又は、その他のタイミングモジュールによりタイミング時間に達したことを検出した後プロセッサーに通知する。
【００５２】
このようなスマートコンセントそれ自体により時間検出及び指令制御を行う形態は、上記ルーターから指令を送信する形態又はサーバーから指令を送信する形態に比べて、ネットワークへの依存からさらに解放され、有線ネットワーク又は無線ネットワークに故障が生じたか否かに関わらず、コンセントそれ自体が、時間通りにタイミング指令に基づいてスイッチ制御し、信頼性が高くなる。なお、当該コンセントそれ自体による制御形態において、時間に対する把握をより正確にするために、スマートコンセントにタイミング設定をするか、又は一定時間ごとに、サーバー又はルーター等の装置と時刻同期させることで、より正確な時間を得ることができる。
【００５３】
その他の一実施例において、スマートコンセントが受信したタイミング指令は複数であってもよい。例えば、サーバーとルーターとスマートコンセントとの３つの機器のいずれにもタイミング情報を記憶しておき、且つ、これらの３つの機器は、それぞれ時間検出及びタイミング指令送信を行うことができる。このような複数の機器のいずれにもタイミング情報を記憶しておき且つタイミング制御可能な形態によれば、信頼性が比較的高くなり、いずれか１つの機器が正常に動作すれば、コンセントは指令を取得することができ、且つタイミング時間をより確実に検出することができる。しかしながら、このような形態において、スマートコンセントは、複数の同一指令を取得可能であり、例えば、タイミング時間１０時に達した場合、サーバーは、タイミング時間に達したことを検出してコンセントに指令を送信し、ルーターも同様にタイミング時間に達したことを検出してコンセントに指令を送信し、コンセントもそれ自体から指令を取得することになるが、このような場合、実際スマートコンセントは、当該指令を一回実行すればよく、その他の同一指令は無視し、即ち、同一指令を繰り返し実行する必要はない。同様に、スマートコンセント及びルーターの２つの装置にタイミング情報を記憶してタイミング制御を行うことができ、このような場合もコンセントは複数の同一指令を受信することになる。
【００５４】
これにより、本実施例の方法は、同一指令の１回のみ実行を確保することができる。図７に示すように、サーバーとルーターとスマートコンセントとの３つ機器のいずれにもタイミング情報が記憶されたことを例とする場合、当該方法は、下記のステップ７０１〜７０７を含む。
【００５５】
ステップ７０１：サーバーは、タイミング情報をルーター及びスマートコンセントに送信する。
【００５６】
例えば、サーバーは、ユーザがスマートフォンのクライアントにより送信したタイミング情報を受信した後、サーバーそれ自体は、当該タイミング情報を記憶し、且つ、サーバーは、当該タイミング情報をルーター及びスマートコンセントに送信し、ルーター及びタイミングコンセントも、それぞれ、当該タイミング情報を記憶し、且つ、これら３つの機器に記憶されたタイミング情報は、同一である。ここで、本実施例のタイミング情報はタイミングＩＤを含み、表１に例示するように、タイミング情報は、タイミングＩＤ、タイミング時間及びタイミング指令を含んでもよく、これらの３つは、対応関係を持っている。なお、サーバー側に、複数のスマートコンセントのタイミング情報を記憶することができる場合、当該タイミング情報が、当該タイミング情報に対応するスマートコンセントの機器ＩＤを含んでもよく、当該機器ＩＤは、サーバーがタイミング指令及びタイミング時間にバインディングしたスマートコンセントを識別するために用いられる。
【００５７】
ステップ７０２：スマートコンセントは、受信したタイミング情報におけるタイミングＩＤをタイミングＩＤベースに記憶する。
【００５８】
例えば、スマートコンセントは、一つの新タイミング情報を受信したごとに、タイミング情報におけるタイミングＩＤをタイミングＩＤベースに記憶し、当該タイミングＩＤベースには、依然として有効な、即ちまだ実行されていないタイミング指令に対応するタイミングＩＤが記憶されている。記憶するにあたって、これらのタイミングＩＤは、タイミングＩＤリストの形式で記憶されてもよく、次の表２に示す通りである。
【００５９】
【表２】
0006352451.tif 000003
このように、スマートコンセントには、２つの部分の情報が記憶されており、その一部分は、表１に示したものに類似するものであり、その他の一部分は、表２に示したものに類似するタイミングＩＤリストである。その中で、表１のタイミング情報は、コンセントがタイミング時間に達したか否かを判断し及びタイミング指令を取得するために用いられる、表２のタイミングＩＤは、コンセントが受信したタイミング指令に対応するタイミングＩＤが有効であるか否かを判断するために用いられ、有効であると判断した場合のみに、当該指令を実行し、次にステップ７０３を参照する。
【００６０】
ステップ７０３：スマートコンセントは、ルーターから送信したタイミング指令及びそれに対応するタイミングＩＤを受信する。
【００６１】
その中で、スマートコンセント、ルーター及びサーバーのいずれにも、同一のタイミング情報を記憶されており、当該タイミング情報におけるタイミング時間に達したことが検出された場合、各機器は、いずれもタイミング指令を送信するため、３つの機器が同時にタイミング指令を送信し、又は取得する場合がある。本実施例は、コンセントが時間的にそれぞれ各指令を受信したことを例とし、複数の指令を同時に受信した場合であっても、コンセントは一つずつ判断し処理する。例え、スマートコンセントがまずルーターから送信したタイミング指令を受信し、且つ、対応するタイミングＩＤも持っている場合、機器ＩＤなどのその他の内容も含むことができ、ここで詳しく説明しない。表１のタイミングＩＤ０００００００１に対応する指令を例とする場合、コンセントが受信したタイミングＩＤは、０００００００１である。
【００６２】
ステップ７０４：スマートコンセントは、前記タイミング指令に対応するタイミングＩＤが前記タイミングＩＤベースに記憶されているか否かを検出する。
【００６３】
例えば、スマートコンセントが受信したタイミングＩＤが０００００００１である場合、コンセントは、当該ＩＤが表２のリストに存在するか否かを検査する。当該ＩＤが依然としてタイミングＩＤリストに存在する場合、当該ＩＤに対応するタイミング指令がまだ実行されておらず、依然として有効であることを示し、スマートコンセントは、引き続きステップ７０５を実行する。然もなければ、当該ＩＤに対応するタイミング指令が既に実行されたことを示し、当該指令を無視すればよい。
【００６４】
ステップ７０５：タイミング指令に基づいて電流断続を制御し、且つタイミングＩＤをタイミングＩＤベースから削除する。
【００６５】
例えば、スマートコンセントが、タイミングＩＤ０００００００１に対応するタイミング指令を実行した後、当該ＩＤを表２のタイミングＩＤリストから削除し、即ち、タイミングＩＤリストには、まだ実行されていないタイミング指令に対応するタイミングＩＤのみが記憶される。
【００６６】
ステップ７０６：スマートコンセントは、サーバーから送信したタイミング指令及びその対応するタイミングＩＤを受信する。
【００６７】
当該ステップは、スマートコンセントがその後さらにサーバーから送信したタイミング指令及び対応するタイミングＩＤを受信した場合を仮定しており、前記のルーターから送信した情報と同様に、同一のタイミングＩＤ０００００００１である。選択的に、スマートコンセントが、サーバー及びルーターから送信したタイミング指令及び対応するタイミングＩＤを同時に取得した場合、コンセントは、１つずつ判断して処理しなければならなく、例えば、まず上記ステップ７０３〜７０５に基づいてルーターの指令を処理し、さらに、ステップ７０６及び７０７に基づいてサーバーの指令を処理する。
【００６８】
ステップ７０７：スマートコンセントは、タイミングＩＤがタイミングＩＤベースに存在していないと検出した場合、当該タイミング指令を無視する。
【００６９】
例えば、スマートコンセントは、ステップ７０４に基づいて、前記タイミング指令に対応するタイミングＩＤが前記タイミングＩＤベースに記憶されたか否かを検出する。ステップ７０５においてコンセントが指令を実行した後既にタイミングＩＤをタイミングＩＤリストから削除したため、本ステップにおいて、コンセントは、タイミングＩＤ０００００００１がタイミングＩＤリストに存在しないことを検出することができ、したがって、コンセントは、当該ＩＤに対応する指令が既に実行されたと確定することができ、当該指令を無視して実行しない。
【００７０】
図８は、スマートコンセントのスイッチ制御装置のストラクチャーチャートを提供し、当該装置は、例えば、ルーターなどの制御機器に設けられてもよい。図８に示すように、当該装置は、指令取得モジュール８１と指令送信モジュール８２とを備え、その中で、
指令取得モジュール８１は、現在時間がタイミング時間に達したことを検出した場合、記憶されたタイミング情報を取得するために用いられ、前記タイミング情報は、バインディングしたスマートコンセントと、前記タイミング時間と、前記タイミング時間に対応するタイミング指令とを含む。
【００７１】
指令送信モジュール８２は、ローカルエリアネットワークにより前記バインディングしたスマートコンセントに前記タイミング指令を送信するために用いられ、前記タイミング指令は、前記スマートコンセントを制御して前記タイミング指令に基づいて電流断続を行なうために用いられる。
【００７２】
図９は、スマートコンセントのスイッチ制御装置のストラクチャーチャートを提供し、当該装置は、スマートコンセントに設けられて、スマートコンセントが本実施例のスマートコンセントのスイッチ制御方法を実行することができるようになる。例えば、当該装置は、図６のスマートコンセントのメモリに記憶された論理指令であってもよく、プロセッサーに呼び出されて実行してもよい。当該装置における各ユニットが操作を実行する具体的な形態は、すでに該当する方法に係る実施例に詳細に記載されており、ここで、詳細に説明しない。図９に示すように、当該装置は、指令受信モジュール９１と電流制御モジュール９２とを備え、その中で、
指令受信モジュール９１は、電流断続を制御するためのタイミング指令を取得するために用いられ、前記タイミング指令は、ローカルに記憶され、又はローカルエリアネットワークにより前記タイミング指令を送信する制御機器に記憶され、例えば、プロセッサーは、当該モジュールによりスマートコンセントの通信モジュールが受信したタイミング情報を取得する。
【００７３】
電流制御モジュール９２は、前記タイミング指令に基づいて電流断続を制御するために用いられる。
【００７４】
図１０は、他の一つのスマートコンセントのスイッチ制御装置の構造を例示し、図９に示す構造に加えて、当該装置は、さらに情報受信モジュール９３を備え、ここで、
情報受信モジュール９３は、タイミング情報を取得するために用いられ、前記タイミング情報は、タイミング時間、前記タイミング時間に対応するタイミング指令及びタイミングＩＤを含み、前記タイミングＩＤをタイミングＩＤベースに記憶し、
さらに、指令受信モジュール９１が電流断続を制御するためのタイミング指令を取得するに用いられる場合、前記タイミング指令に対応するタイミングＩＤを取得し、
電流制御モジュール９２は、前記タイミング指令に対応するタイミングＩＤが前記タイミングＩＤベースに記憶されているか否かを検出し、前記タイミングＩＤベースに前記タイミングＩＤが記憶されていた場合、タイミング指令に基づいて電流断続を制御し、且つ前記タイミング指令に対応するタイミングＩＤをタイミングＩＤベースから削除するために用いられる。例えば、プロセッサーは、当該スイッチ制御モジュール８２により、前記タイミング指令に対応するタイミングＩＤがメモリのタイミングＩＤベースに記憶されているか否かを検出する。
【００７５】
なお、指令受信モジュール９１は、時間検出ユニット９１１と指令取得ユニット９１２とを備えてもよく、その中で、
時間検出ユニット９１１は、現在時間が記憶したタイミング情報におけるタイミング時間に達したかを検出するために用いられ、
指令取得ユニット９１２は、前記タイミング情報における前記タイミング時間に対応したタイミング指令を取得するために用いられる。
【００７６】
図１１は、例示的実施例に係る制御機器１０００を示すブロックチャートである。例えば、当該制御機器１０００はルーターであり、処理ユニット１０２２を含んでもよい。さらに、一つ又は複数のプロセッサー、及び処理ユニット１０２２で実行可能な指令、例えばアプリプログラムを記憶するための、メモリ１０３２に代表されるメモリリソースを含む。メモリ１０３２に記憶されたアプリプログラムは、それぞれの指令セットに対応する一つ以上のモジュールを含んでもよい。なお、処理ユニット１０２２は、指令を実行するように配置されて上記方法を実行し、即ち、
現在時間がタイミング時間に達したことを検出した場合、記憶したタイミング情報を取得し、ここで、前記タイミング情報は、バインディングしたスマートコンセントと、前記タイミング時間と、前記タイミング時間に対応したタイミング指令とを含み、
ローカルエリアネットワークにより前記バインディングしたスマートコンセントに前記タイミング指令を送信し、ここで、前記タイミング指令は、前記スマートコンセントを制御して前記タイミング指令に基づいて電流断続を行なうために用いられる。
【００７７】
ルーター１０００は、さらに、装置１０００の電源管理を実行するように構成された一つの電源ユニット１０２６、装置１０００をネットワークに接続するように構成された一つの有線又は無線ネットワークインターフェイス１０５０、及び一つの入出力（Ｉ／Ｏ）インターフェイス１０５８を含んでもよい。装置１０００は、メモリ１０３２に記憶されたオペレーティングシステム（ＯＳ）、例えば、Ｗｉｎｄｏｗｓ（登録商標）  ＳｅｒｖｅｒＴＭ、Ｍａｃ（登録商標）  ＯＳ  ＸＴＭ、Ｕｎｉｘ（登録商標）ＴＭ，  Ｌｉｎｕｘ（登録商標）ＴＭ、ＦｒｅｅＢＳＤ（登録商標）ＴＭ、若しくは類似したものに基づいて操作する。
【００７８】
本発明の例示的な実施例では、指令を含む非一時的コンピュータ読み取り可能な記憶媒体、例えば、指令を含むメモリをさらに提供する。前記指令は、プロセッサーにより実行されて上記方法を実現する。例えば、前記非一時的コンピュータ読み取り可能な記憶媒体は、ＲＯＭ、ＲＡＭ（Random-Access Memory）、ＣＤ−ＲＯＭ、磁気テープ、フロッピー（登録商標）ディスク、および光データ記憶メモリ等であってもよい。
【００７９】
当業者は、明細書に対する理解、及び明細書に記載された発明に対する実施を通して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００８０】
本願は、出願番号が２０１５１００４８２６９．１であって、出願日が２０１５年１月２９日である中国特許出願に基づき優先権を主張し、当該中国特許出願の内容のすべてを本願に援用する。
【図１】
0006352451.tif 000004
【図２】
0006352451.tif 000005
【図３】
0006352451.tif 000006
【図４】
0006352451.tif 000007
【図５】
0006352451.tif 000008
【図６】
0006352451.tif 000009
【図７】
0006352451.tif 000010
【図８】
0006352451.tif 000011
【図９】
0006352451.tif 000012
【図１０】
0006352451.tif 000013
【図１１】
0006352451.tif 000014